(57)【要約】【課題】有機溶剤を含有する排ガス処理装置に使用されるガス回収装置において、ガスの濃度に応じて装置の運転状態を調整し、消費エネルギーを低減することを目的とする。【解決手段】有機溶剤ガスは、吸引手段１によって液化手段２に供給される。液化手段２は、吸引手段１によって導入された有機溶剤ガスから有機溶剤を回収する。ガス濃度測定手段３は、有機溶剤ガスに含まれる有機溶剤の濃度を測定する。ガス濃度測定手段３で測定したガス濃度は、液化条件調整手段４に送られる。液化条件調整手段４は、ガス濃度に応じて液化手段２の運転条件を調整する。上記構成において、液化手段２は、ガス濃度をもとに液化条件調整手段４で設定された運転条件で運転するため、有機溶剤ガスの濃度が変動した場合においても、適切に液化手段２が動作するので、有機溶剤ガスから有機溶剤を確実に回収できるとともに、消費エネルギーを低減することが可能となる。【選択図】図１
2006281045.tif 000002
【特許請求の範囲】
【請求項１】
有機溶剤ガスを吸引する吸引手段と、該吸引した有機溶剤ガス中の有機溶剤を液化回収する液化手段を備えたガス回収装置において、前記吸引した有機溶剤ガスのガス濃度を測定するガス濃度測定手段を備え、該ガス濃度測定手段により測定したガス濃度に応じて前記吸引した有機溶剤ガスを液化する条件を調整する液化条件調整手段を備えたガス回収装置。
【請求項２】
液化手段を吸引手段により吸引された有機溶剤ガスを冷却するガス冷却手段と該ガス冷却手段により液化された有機溶剤を回収する液回収手段で構成し、ガス濃度測定手段を前記ガス冷却手段の入口ガス濃度を測定する入口ガス濃度測定手段とし、液化条件調整手段を前記ガス冷却手段の温度を調整する冷却温度調整手段とした請求項１記載のガス回収装置。
【請求項３】
液化手段を吸引手段により吸引された有機溶剤ガスを加圧する加圧手段と該加圧手段により加圧された有機溶剤ガスを冷却するガス冷却手段と該ガス冷却手段により液化された有機溶剤を回収する液回収手段で構成し、ガス濃度測定手段を前記加圧手段の入口ガス濃度を測定する入口ガス濃度測定手段とし、液化条件調整手段を前記加圧手段で加圧する圧力を調整する圧力調整手段とした請求項１記載のガス回収装置。
【請求項４】
液化条件調整手段を加圧手段で加圧する圧力を調整する圧力調整手段とガス冷却手段の温度を調整する冷却温度調整手段で構成し、入口ガス濃度測定手段により測定したガス濃度に応じて、加圧圧力と冷却温度を演算し、前記圧力調整手段と前記冷却温度調整手段に信号を送る演算手段を備えた請求項３記載のガス回収装置。
【請求項５】
吸引した有機溶剤ガスからの有機溶剤回収率を設定する回収率設定手段を備え、該回収率設定手段で設定した回収率と入口ガス濃度測定手段により測定したガス濃度に応じて加圧手段で加圧する圧力とガス冷却手段で冷却する温度を演算し、液化条件調整手段である圧力調整手段と冷却温度調整手段に信号を送る演算手段を備えた請求項４記載のガス回収装置。
【請求項６】
有機溶剤を回収後、ガス回収装置から排出する排出ガスのガス濃度を設定する排出ガス濃度設定手段を備え、該排出ガス濃度設定手段で設定した排出ガス濃度とガス濃度測定手段により測定したガス濃度に応じて加圧手段で加圧する圧力とガス冷却手段で冷却する温度を演算し、液化条件調整手段である圧力調整手段と冷却温度調整手段に信号を送る演算手段を備えた請求項４記載のガス回収装置。
【請求項７】
加圧手段により消費するエネルギーとガス冷却手段により消費するエネルギーを演算する消費エネルギー演算手段を備え、排出ガス濃度設定手段で設定した排出ガス濃度と入口ガス濃度測定手段により測定したガス濃度に応じて、前記消費エネルギー演算手段で演算した消費エネルギーが最小となるように、加圧手段で加圧する圧力とガス冷却手段で冷却する温度を演算し、液化条件調整手段である圧力調整手段と冷却温度調整手段に信号を送る演算手段を備えた請求項６記載のガス回収装置。
【請求項８】
ガス回収装置から排出する排出ガスのガス濃度を測定する排出ガス濃度測定手段を備え、該排出ガス濃度測定手段により測定したガス濃度と入口ガス濃度測定手段で測定したガス濃度に応じてメンテナンス情報を出力するメンテナンス情報出力手段を備えた請求項２，３，４，５，６，または７記載のガス回収装置。
【請求項９】
入口ガス濃度測定手段および排出ガス濃度測定手段を半導体式ガスセンサとした請求項２，３，４，５，６，７、または８記載のガス回収装置。
【請求項１０】
有機溶剤ガスを濃縮するガス濃縮手段を備え、該ガス濃縮手段で濃縮した有機溶剤ガスを吸引する請求項２，３，４，５，６，７，８、または９記載のガス回収装置
【請求項１１】
有機溶剤ガスに含まれる水分を除去する除湿手段を備え、該除湿手段で水分を除去した有機溶剤ガスを吸引する請求項２，３，４，５，６，７，８，９、または１０記載のガス回収装置。
【請求項１２】
有機溶剤ガスの湿度を測定する湿度測定手段と該湿度測定手段により測定した湿度に応じて除湿手段の運転を調整する除湿運転調整手段を備えた請求項１１記載のガス回収装置。
【請求項１３】
除湿手段を除湿用圧縮手段と除湿用冷却手段で構成した請求項１２記載のガス回収装置。
【発明の詳細な説明】
【技術分野】
【０００１】
本発明は、排ガス中に含まれる有機溶剤などの有害物質を除去する排ガス浄化装置に使用されるガス回収装置に関する。
【背景技術】
【０００２】
従来、この種のガス回収装置は、有機溶剤ガスを冷却し飽和蒸気圧を下げて有機溶剤を凝縮させる方法や加えてガスを圧縮し有機溶剤の分圧を上げて凝縮させ液化し回収するものが知られている。また、凝縮しやすいように、事前に濃縮装置により有機溶剤ガスの濃度を高濃度にしてガス回収装置に導入されている（例えば、特許文献１）。
【０００３】
以下、その回収装置について図１３を参照しながら説明する。
【０００４】
図に示すように、有機溶剤ガスは吸引加圧手段１０１である真空ポンプによってコンデンサタンク１０２に加圧され導入される。コンデンサタンク１０２は、ヒートポンプ１０４から冷媒により冷却されている。コンデンサタンク１０２に導入された有機溶剤ガスは、加圧と冷却の効果により凝集し液化する。液化した有機溶剤は、有機溶剤回収タンク１０３に回収される。有機溶剤回収後のガスは、コンデンサタンク１０２から排出される。
【特許文献１】特開２００３−７１２３９号公報
【発明の開示】
【発明が解決しようとする課題】
【０００５】
このようなガス回収装置では、ガスを液化するため、すなわち、ガスを圧縮、冷却に大きなエネルギーを必要とするため、少ないエネルギーで効率良くガス回収が可能な装置を提供することが要求されている。
【０００６】
しかしながら、従来のガス回収装置では、供給されるガス濃度が変動しても常に同じ条件で動作しているため、必要以上のエネルギー消費を行っている場合があった。
【０００７】
本発明は、このような従来の課題を解決するものであり、ガスを液化するための圧縮、冷却条件を導入されたガス濃度に応じて調整することができ、装置を効率的に運転することによって消費エネルギーを低減することができるガス回収装置を供給することを目的としている。
【課題を解決するための手段】
【０００８】
本発明のガス回収装置は、上記目的を達成するために、吸引した有機溶剤ガスのガス濃度を測定し、ガス濃度に応じて有機溶剤を液化回収する液化手段の運転条件を調整するとしたものである。
【０００９】
この手段により、液化手段に供給したガス濃度の変動に応じて、液化手段の運転条件を調整できるため、ガス濃度に合わせた効率的な運転が可能となる。
【００１０】
また、他の手段は、液化手段をガス冷却手段としガス濃度に応じて冷却温度調整手段によってガス冷却手段で冷却する温度を調整するものである。
【００１１】
この手段により、ガス冷却手段で有機溶剤ガスから有機溶剤を冷却凝集し回収するとともに、ガス濃度に応じて冷却温度を調整することにより効率的な運転が可能となる。
【００１２】
また、他の手段は、液化手段を加圧手段とガス冷却手段とし、液化条件調整手段を加圧手段で加圧する圧力を調整する圧力調整手段としたものである。
【００１３】
この手段により、有機溶剤ガスを加圧して冷却することにより、より高温でガスを液化することが可能となるとともにガス濃度に応じて加圧する圧力を調整することにより、より効率的な運転が可能となる。
【００１４】
また、他の手段は、液化手段を加圧手段とガス冷却手段で構成し、ガス濃度に応じて加圧する圧力と冷却温度を調整するものである。
【００１５】
この手段により、ガスを液化する際に圧力と冷却温度を調整することができるため、より効率的な運転が可能となる。
【００１６】
また、他の手段は、有機溶剤ガスから有機溶剤を回収する割合、すなわち回収率を設定し、設定した回収率が得られるように、ガス濃度に応じて液化条件調整手段によって、加圧する圧力と冷却温度を調整するものである。
【００１７】
この手段により、ガス濃度が変動しても設定した回収率で有機溶剤ガスから有機溶剤を効率的に回収することが可能となる。
【００１８】
また、他の手段は、有機溶剤ガスからガス回収装置により有機溶剤を回収後排出される排出ガスのガス濃度を設定し、供給する有機溶剤ガスの濃度が変動しても、ガス濃度に応じて液化条件調整手段によって加圧する圧力と冷却温度を設定したガス濃度もしくはそれ以下の濃度になるように調整するものである。
【００１９】
この手段により、ガス濃度が変動した場合においても、排出ガス濃度を設定値もしくはそれ以下の濃度になるように効率よくガスを回収することが可能となる。
【００２０】
また、他の手段は、液化手段である加圧手段とガス冷却手段で消費する消費エネルギーが消費エネルギー設定手段で設定した値以下になるように、ガス濃度に応じて液化条件調整手段により加圧する圧力と冷却温度を調整するものである。
【００２１】
この手段により、設定した消費エネルギー以下で効率的に運転することが可能となる。
【００２２】
また、他の手段は、ガス回収装置から排出される排出ガス濃度を測定する排出ガス濃度測定手段を備え、排出ガス濃度と入口ガス濃度に応じてメンテナンス情報を出力するメンテナンス情報出力手段を備えたものである。
【００２３】
この手段により、入口ガス濃度と出口ガス濃度を比較して、十分な有機溶剤の除去性能が得られているかを知ることができるため、機器運転の異常を知ることが可能となる。
【００２４】
また、他の手段は、ガス濃度検知手段を半導体式ガスセンサとしたものである。
【００２５】
この手段により、安価・簡易に有機溶剤ガスの濃度を測定できるものである。
【００２６】
また、他の手段は、有機溶剤ガスを濃縮するガス濃縮手段を備え、濃縮した有機溶剤ガスをガス回収装置に吸引するものである。
【００２７】
この手段により、高濃度のガスを液化手段に導入できるため、より効率的に有機溶剤を回収することが可能となる。
【００２８】
また、他の手段は、有機溶剤ガス中の水分を除去する除湿手段を備え、水分を除去したガスをガス回収装置に吸引するものである。
【００２９】
この手段により、ガス冷却手段で有機溶剤と同時に水分が凝集することを低減できるため、着霜による能力の低下や回収した有機溶剤への水分の混入を低減できる。
【００３０】
また、他の手段は、湿度測定手段により有機溶剤ガスの湿度を測定し、湿度に応じて除湿手段の運転を調整するものである。
【００３１】
この手段により、より効率的に有機溶剤ガス中の水分を除去することが可能となる。
【００３２】
また、他の手段は、除湿手段を除湿用圧縮手段と除湿用冷却手段で構成したものである。
【００３３】
この手段により、圧力と冷却温度を調整することによって、有機溶剤ガス中の水分を選択的に除去することが可能となる。
【発明の効果】
【００３４】
本発明によれば、有機溶剤ガスの濃度変動に合わせて、ガス回収装置の運転能力を調整できるため、消費エネルギーを低減し効率的な運転ができるという効果のあるガス回収装置を提供できる。
【００３５】
また、有機溶剤ガスの濃度が変動しても必要な有機溶剤の除去性能を維持できという効果のあるガス回収装置を提供できる。
【発明を実施するための最良の形態】
【００３６】
本発明請求項１記載の発明は、有機溶剤ガスを吸引する吸引手段と、該吸引した有機溶剤ガス中の有機溶剤を液化回収する液化手段を備えたガス回収装置において、前記吸引した有機溶剤ガスのガス濃度を測定するガス濃度測定手段を備え、該ガス濃度測定手段により測定したガス濃度に応じて前記吸引した有機溶剤ガスを液化する条件を調整する液化条件調整手段を備えたガス回収装置としたものであり、有機溶剤ガスの濃度が高い場合は液化しやすいため液化手段の能力を下げて運転し、有機溶剤ガスの濃度が低い場合は液化しにくいため液化手段の能力を上げて運転するように液化条件調整手段によって液化装置の運転条件を調整するので液化装置の消費エネルギーを低減する作用を有する。
【００３７】
また、請求項２記載の発明は、液化手段を吸引手段により吸引された有機溶剤ガスを冷却するガス冷却手段と該ガス冷却手段により液化された有機溶剤を回収する液回収手段で構成し、ガス濃度測定手段を前記ガス冷却手段の入口ガス濃度を測定する入口ガス濃度測定手段とし、液化条件調整手段を前記ガス冷却手段の温度を調整する冷却温度調整手段としたものであり、液化手段をガス冷却手段とすることにより、有機溶剤ガスを冷却することによって有機溶剤を液化し、また、ガス濃度に応じて冷却温度を調整して冷却に必要なエネルギーを低減する作用を有する。
【００３８】
また、請求項３記載の発明は、液化手段を吸引手段により吸引された有機溶剤ガスを加圧する加圧手段と該加圧手段により加圧された有機溶剤ガスを冷却するガス冷却手段と該ガス冷却手段により液化された有機溶剤を回収する液回収手段で構成し、ガス濃度測定手段を前記加圧手段の入口ガス濃度を測定する入口ガス濃度測定手段とし、液化条件調整手段を前記加圧手段で加圧する圧力を調整する圧力調整手段としたものであり、液化手段を加圧手段と冷却手段を組み合わせることにより、より高温で有機溶剤を液化するとともに、ガス濃度に応じて加圧する圧力を調整して、加圧および冷却に必要なエネルギーを低減する作用を有する。
【００３９】
また、請求項４記載の発明は、液化条件調整手段を加圧手段で加圧する圧力を調整する圧力調整手段とガス冷却手段の温度を調整する冷却温度調整手段で構成し、入口ガス濃度測定手段により測定したガス濃度に応じて、加圧圧力と冷却温度を演算し、前記圧力調整手段と前記冷却温度調整手段に信号を送る演算手段を備えたものであり、有機溶剤ガス濃度をもとに演算手段で加圧する圧力と冷却温度を最適に設定できる作用を有する。
【００４０】
また、請求項５記載の発明は、吸引した有機溶剤ガスからの有機溶剤回収率を設定する回収率設定手段を備え、該回収率設定手段で設定した回収率と入口ガス濃度測定手段により測定したガス濃度に応じて加圧手段で加圧する圧力とガス冷却手段で冷却する温度を演算し、液化条件調整手段である圧力調整手段と冷却温度調整手段に信号を送る演算手段を備えたものであり、有機溶剤ガスの濃度が変動した場合においても設定した回収率で有機溶剤を回収できるように加圧する圧力と冷却温度を調整できる作用を有するものである。
【００４１】
また、請求項６記載の発明は、有機溶剤を回収後、ガス回収装置から排出する排出ガスのガス濃度を設定する排出ガス濃度設定手段を備え、該排出ガス濃度設定手段で設定した排出ガス濃度とガス濃度測定手段により測定したガス濃度に応じて加圧手段で加圧する圧力とガス冷却手段で冷却する温度を演算し、液化条件調整手段である圧力調整手段と冷却温度調整手段に信号を送る演算手段を備えたものであり、有機溶剤ガスの濃度が変動した場合においても設定した排出ガス濃度もしくはそれ以下の濃度でガスを排出できるように加圧する圧力と冷却温度を調整できる作用を有するものである。
【００４２】
また、請求項７記載の発明は、加圧手段により消費するエネルギーとガス冷却手段により消費するエネルギーを演算する消費エネルギー演算手段を備え、排出ガス濃度設定手段で設定した排出ガス濃度と入口ガス濃度測定手段により測定したガス濃度に応じて、前記消費エネルギー演算手段で演算した消費エネルギーが最小となるように、加圧手段で加圧する圧力とガス冷却手段で冷却する温度を演算し、液化条件調整手段である圧力調整手段と冷却温度調整手段に信号を送る演算手段を備えたものであり、有機溶剤ガスの濃度が変動した場合においても設定した消費エネルギーもしくは、それ以下の消費エネルギーで有機溶剤を回収できるように加圧する圧力と冷却温度を調整できる作用を有するものである。
【００４３】
また、請求項８記載の発明は、ガス回収装置から排出する排出ガスのガス濃度を測定する排出ガス濃度測定手段を備え、該排出ガス濃度測定手段により測定したガス濃度と入口ガス濃度測定手段で測定したガス濃度に応じてメンテナンス情報を出力するメンテナンス情報出力手段を備えたものであり、排出のガス濃度を測定し入口ガス濃度と比較することにより、ガス回収装置が正常に運転し有機溶剤を回収しているかどうかを知ることができる作用を有するものである。
【００４４】
また、請求項９記載の発明は、入口ガス濃度測定手段および排出ガス濃度測定手段を半導体式ガスセンサとしたものであり、半導体式ガスセンサを用いることにより、有機溶剤ガス濃度を簡易に、そして安価に測定できるという作用を有するものである。
【００４５】
また、請求項１０記載の発明は、有機溶剤ガスを濃縮するガス濃縮手段を備え、該ガス濃縮手段で濃縮した有機溶剤ガスを吸引するものであり、濃縮した有機溶剤ガスを吸引することにより、有機溶剤の液化に必要なエネルギーを低減し、効率的に装置を運転できる作用を有するものである。
【００４６】
また、請求項１１記載の発明は、有機溶剤ガスに含まれる水分を除去する除湿手段を備え、該除湿手段で水分を除去した有機溶剤ガスを吸引するものであり、ガス冷却手段で冷却時に有機溶剤と同時に水分が凝集することを防止し、冷却手段での着霜と回収した有機溶剤への水分の混入を低減する作用を有するものである。
【００４７】
また、請求項１２記載の発明は、有機溶剤ガスの湿度を測定する湿度測定手段と該湿度測定手段により測定した湿度に応じて除湿手段の運転を調整する除湿運転調整手段を備えたものであり、有機溶剤ガスの湿度に応じて除湿手段を適切に運転し、除湿を確実に行うとともに消費エネルギーを低減できる作用を有するものである。
【００４８】
また、請求項１３記載の発明は、除湿手段を除湿用圧縮手段と除湿用冷却手段で構成したものであり、圧縮と冷却で水分を凝集するとともに水分のみを選択的に凝集できる作用を有するものである。
【００４９】
以下、本発明の実施の形態について図面を参照しながら説明する。
【００５０】
（実施の形態１）
図１は、本発明のガス回収装置の構成を示すブロック図である。
【００５１】
図に示すように、塗装、印刷、工業洗浄など有機溶剤を使用した施設から排出される有機溶剤ガスは、ブロアーなどの送風機で構成した吸引手段１によって液化手段２に供給される。液化手段２は、吸引手段１によって導入された有機溶剤ガスから有機溶剤を分離、液化して回収する。液化の方法としては、有機溶剤ガスから有機溶剤を分離、回収できる方法であればどのような方法でも良いが、冷却により有機溶剤の飽和蒸気圧を下げて液化する方法が一般的であり、加圧して有機溶剤の分圧を上げる方法も組み合わせて用いることができる。さらに、ガス濃度測定手段３は、吸引手段１で吸引した有機溶剤ガスに含まれる有機溶剤の濃度を測定する。ガス濃度測定手段３は、有機溶剤の濃度を測定するものであればどのような方法でも良いが、ＦＩＤやＰＩＤ、ＮＤＩＲ、半導体式ガスセンサなどを用いることができる。ここで、特に、半導体式ガスセンサは、コンパクト、安価、簡易、メンテナンス性など優れている。つぎに、ガス濃度測定手段３で測定したガス濃度は、液化条件調整手段４に送られる。液化条件調整手段４は、ガス濃度に応じて液化手段２に信号を送り液化手段２の運転条件を調整する。ここで、液化条件調整手段４は、例えばマイクロコンピューターを用いた電気回路で構成される。
【００５２】
上記構成において、吸引手段１によって吸引した有機溶剤ガスの有機溶剤の濃度をガス濃度測定手段３が測定し、液化条件調整手段４に信号を送る。液化条件調整手段４は信号を受け、ガス濃度が液化しやすい条件の場合は液化手段の能力を下げるように、逆にガス濃度が液化しにくい条件の場合は、液化手段の能力を上げるように液化手段２の運転条件を制御する信号を液化手段２に送る。液化手段２は、信号を受け液化条件調整手段４で設定された運転条件で運転する。そのため、有機溶剤ガスの濃度が変動した場合においても、適切に液化手段２が動作するので、有機溶剤ガスから有機溶剤を確実に回収できるとともに、消費エネルギーを低減することが可能となる。
【００５３】
ここで、吸引手段１を液化手段２の手前に設置し、有機溶剤ガスを押し出す設定としたが、液化手段２の後方に設置し吸引しても良い。また、有機溶剤ガスが他の送風機や排風機によって供給されている場合は、吸引手段１を省いても良い。
【００５４】
（実施の形態２）
図２は、本発明のガス回収装置の構成を示すブロック図である。なお、本発明実施の形態１と同一の部分には同一番号を付して説明は省略する。
【００５５】
図において、冷却温度調整手段５は、入口ガス濃度測定手段６により測定した吸引手段１によって吸引した有機溶剤ガスのガス濃度を受けて、ガス濃度に応じた冷却温度を演算し、液化手段２のガス冷却手段７に信号を送る。液化手段２は、ガス冷却手段７と液回収手段８から構成され、ガス冷却手段７は、冷却温度調整手段５の信号を受けて設定された温度に吸引手段１によって導入された有機溶剤ガスを冷却する。冷却された有機溶剤ガス中の有機溶剤は、凝集、液化する。液化した有機溶剤は、液回収手段８に貯められる。また、有機溶剤を分離回収されたガスは、ガス冷却手段７から外部に排出される。
【００５６】
ここで、ガス冷却手段７は冷媒を用いて冷却され、冷凍サイクルや液体窒素などの液化ガスを用いても良いし、ペルチェ素子を用いても良い。入口ガス濃度測定手段６は、有機溶剤の濃度を測定するものであればどのような方法でも良いが、ＦＩＤやＰＩＤ、ＮＤＩＲ、半導体式ガスセンサなどを用いることができる。ここで、特に、半導体式ガスセンサは、コンパクト、安価、簡易、メンテナンス性など優れている。液回収手段８は、ガス冷却手段７で液化した有機溶剤を気体から分離して貯蔵するもので、有機溶剤に対し耐久性をもつ材料で作られたタンクなどを用いることができる。
【００５７】
上記構成において、吸引手段１によって液化手段２に導入された有機溶剤ガスは、ガス冷却手段７で冷却され、導入された有機溶剤ガスの内、冷却された温度での有機溶剤の飽和蒸気圧以上の部分が凝集液化する。よって、凝集液化する有機溶剤の量は、導入される有機溶剤の濃度と冷却される温度に依存する。そのため、液化手段２に導入するガス濃度を入口濃度測定手段６で測定し、測定したガス濃度に応じて冷却温度調整手段５で冷却温度を設定することにより、ガス濃度に応じた最適な冷却温度を設定することが可能となり、消費エネルギーを低減することが可能となる。
【００５８】
（実施の形態３）
図３は、本発明のガス回収装置の構成を示すブロック図である。なお、本発明実施の形態１、２と同一の部分には同一番号を付して説明は省略する。
【００５９】
図において、吸引手段１によって液化手段２に導入された有機溶剤ガスは、加圧手段９で加圧されガス冷却手段７に導入される。入口ガス濃度測定手段６で測定した有機溶剤ガスのガス濃度は、圧力調整手段１０に送られる。圧力調整手段１０は、測定したガス濃度に応じて加圧手段９で加圧する圧力を演算し、加圧手段９を制御する。ここで、加圧手段９は、コンプレッサー、真空ポンプなどの気体を加圧する当該既知の方法を用いることができる。また、圧力調整手段１０は、例えばマイクロコンピューターを用いた電気回路で構成される。
【００６０】
上記構成において、加圧手段９で加圧された有機溶剤ガスは、加圧により有機溶剤の分圧が高くなるため、ガス冷却手段７で冷却凝集され液化する際に同じ温度の場合は液化量が増加し、同じ量を液化する場合は、冷却温度を上がることになる。すなわち、有機溶剤ガスからの有機溶剤の液化量は、有機溶剤ガスの濃度と加圧する圧力と冷却温度に依存する。そこで、入口ガス濃度測定手段６で測定したガス濃度に応じて最適な加圧圧力を圧力調整手段１０で調整することにより効率的に有機溶剤ガスから有機溶剤を回収することができ、消費エネルギーを低減することが可能となる。
【００６１】
（実施の形態４）
図４は、本発明のガス回収装置の構成を示すブロック図である。なお、本発明実施の形態１〜３と同一の部分には同一番号を付して説明は省略する。
【００６２】
図において、演算手段１１は入口ガス濃度測定手段６で測定した有機溶剤ガスのガス濃度を受けて、加圧手段９で加圧する圧力とガス冷却手段７で冷却する温度を演算し、それぞれ液化条件調整手段４を構成している圧力調整手段１０と冷却温度調整手段５に信号を送る。圧力調整手段１０と冷却温度調整手段５は、信号を受けそれぞれ加圧手段９とガス冷却手段７を制御し、演算手段１１で演算した圧力と冷却温度に制御する。ここで、演算手段１１は、例えばマイクロコンピューターを用いた電気回路で構成される。
【００６３】
上記構成において、演算手段１１で液化手段２に導入される有機溶剤ガスの濃度から、加圧手段９での加圧温度とガス冷却手段７での冷却温度を求め、加圧手段９とガス冷却手段７を制御するため、ガス濃度に対し圧力と温度の２つのパラメータで液化条件を設定できる。そのため、より的確にガス回収装置を運転することが可能となる。
【００６４】
（実施の形態５）
図５は、本発明のガス回収装置の構成を示すブロック図である。なお、本発明実施の形態１〜４と同一の部分には同一番号を付して説明は省略する。
【００６５】
図において、回収率設定手段１２は有機溶剤ガスから回収する有機溶剤の割合、すなわち回収率を設定し、演算手段１１に送る。回収率設定手段１２は、キーボードやダイアルなど当該既知の方法を用いることができる。また、ＬＥＤやＬＣＤなどの表示機能があるとなお良い。次に、演算手段１１は、回収率設定手段１２で設定された回収率になるように加圧手段９とガス冷却手段７の運転条件を演算し、液化条件設定手段４の圧力調整手段１０と冷却温度調整手段５に信号を送る。
【００６６】
上記構成において、有機溶剤ガスからの有機溶剤の回収率を設定できるとともに、設定した回収率で回収できるように装置を運転するため、消費エネルギーを低減することが可能となる。
【００６７】
（実施の形態６）
図６は、本発明のガス回収装置の構成を示すブロック図である。なお、本発明実施の形態１〜５と同一の部分には同一番号を付して説明は省略する。
【００６８】
図において、排出ガス濃度設定手段１３は、有機溶剤ガスから有機溶剤を回収後、ガス回収装置から排出されるガスすなわち排出ガスの濃度を設定し、演算手段１１に送る。排出ガス濃度設定手段１３は、キーボードやダイアルなど当該既知の方法を用いることができる。また、ＬＥＤやＬＣＤなどの表示機能があるとなお良い。
【００６９】
次に、演算手段１１は排出ガス濃度設定手段１３で設定した排出ガス濃度もしくはそれ以下の濃度に排出ガスがなるように加圧手段９とガス冷却手段７の運転条件を演算し、液化条件設定手段４の圧力調整手段１０と冷却温度調整手段５に信号を送る。
【００７０】
上記構成において、排出ガスの濃度を設定できるとともに、設定した排出ガス濃度もしくはそれ以下の濃度になるように装置を運転するため、消費エネルギーを低減することが可能となる。
【００７１】
（実施の形態７）
図７は、本発明のガス回収装置の構成を示すブロック図である。なお、本発明実施の形態１〜６と同一の部分には同一番号を付して説明は省略する。
【００７２】
図において、消費エネルギー演算手段１４は、演算手段１１で求めた液化手段２の運転条件から消費エネルギーを演算し、演算手段１１に送る。演算手段１１は、消費エネルギーが最小となるよう演算して、液化条件調整手段４の圧力調整手段１０と冷却温度調整手段５に信号を送る。ここで、消費エネルギー演算手段１４は、例えばマイクロコンピューターを用いた電気回路で構成される。
【００７３】
上記構成において、消費エネルギー演算手段１４で消費エネルギーを演算し、消費エネルギーが最小となる液化条件すなわち、加圧圧力と冷却温度を設定するため、消費エネルギーを低減することがことが可能となる。
【００７４】
（実施の形態８）
図８は、本発明のガス回収装置の構成を示すブロック図である。なお、本発明実施の形態１〜７と同一の部分には同一番号を付して説明は省略する。
【００７５】
図において、排出ガス濃度測定手段１５は、有機溶剤ガスから有機溶剤を回収後、ガス回収装置から排出されるガスの濃度を測定する。ここで、排出ガス濃度測定手段１５は、有機溶剤の濃度を測定するものであればどのような方法でも良いが、ＦＩＤやＰＩＤ、ＮＤＩＲ、半導体式ガスセンサなどを用いることができる。ここで、特に、半導体式ガスセンサは、コンパクト、安価、簡易、メンテナンス性など優れている。次に、測定した排出ガス濃度は演算手段１１に送られる。演算手段１１は、排出ガス濃度と入口ガス濃度より機器の運転状況およびメンテナンスの必要性の有無をメンテナンス情報出力手段１６に送る。メンテナンス情報出力手段１６は、機器の運転状況やメンテナンス情報を外部に出力する。外部への出力は、ＬＥＤやＬＣＤやブザーなどの当該既知の方法を用いることができる、また、ＬＡＮを通じ遠隔地に情報を伝えることもできる。
【００７６】
上記構成において、演算手段１１では、メンテナンス情報出力手段１６にメンテナンス情報を伝達するために、入口ガス濃度と排出ガス濃度から液化手段２が正常に動作しているかを判定する。例えば、排出ガス濃度が設定より高ければ機器が正常に動作していないという判定を行い、メンテナンス情報出力手段１６に伝達する。ガス回収装置の使用者は、メンテナンス情報出力手段１６の出力結果より、ガス回収装置が正常に動作しているかどうか、メンテナンスが必要かどうかを知ることができる。
【００７７】
（実施の形態９）
図９は、本発明のガス回収装置の構成を示すブロック図である。なお、本発明実施の形態１〜８と同一の部分には同一番号を付して説明は省略する。
【００７８】
図において、濃縮手段１７は吸引手段１によって吸引された有機溶剤ガスを濃縮し、濃縮された有機溶剤ガスを液化手段２に供給する。ここで、濃縮手段１７は、活性炭、ゼオライトを用いた吸着式の濃縮装置や分離膜等を用いることができるが、有機溶剤ガスを濃縮できる方法であれば何でも良い。
【００７９】
上記構成において、濃縮手段１７を備えることによって、より高濃度の有機溶剤ガスを液化手段に供給できるため、有機溶剤ガスから有機溶剤を液化する効率を向上することができ、低消費エネルギー化、装置の小型化、低価格化が可能となる。
【００８０】
（実施の形態１０）
図１０は、本発明のガス回収装置の構成を示すブロック図である。なお、本発明実施の形態１〜９と同一の部分には同一番号を付して説明は省略する。
【００８１】
図において、除湿手段１８は液化手段２へ供給する有機溶剤ガスに含まれる水分を除去する。除湿手段１８としては、シリカゲルなどの吸湿剤や冷却など当該既知の方法を用いることができる。但し、ここで有機溶剤を除去、液化しないことが望ましい。
【００８２】
上記構成において、水分を除去した有機溶剤ガスを液化手段２に導入することができるため、加圧手段９での水分の凝集やガス冷却手段７での水分の凝集による回収した有機溶剤への水分の混入、さらに、ガス冷却手段７での凝集した水分の凍結、着霜による液化能力の低下などの不具合が発生する可能性および、装置能力低下による消費エネルギーの増加を低減することが可能となる。
【００８３】
（実施の形態１１）
図１１は、本発明のガス回収装置の構成を示すブロック図である。なお、本発明実施の形態１〜１０と同一の部分には同一番号を付して説明は省略する。
【００８４】
図において、湿度測定手段１９は有機溶剤ガスの湿度を測定する湿度センサで、高分子材料や、セラミック材料を用いた当該既知の湿度センサを用いることができる。次に、湿度測定手段１９で測定した湿度は、除湿運転調整手段２０に送られる。除湿運転調整手段２０は、有機溶剤ガスの湿度から除湿手段１８の運転条件を設定し、除湿手段１８を制御する。ここで、除湿運転調整手段２０は、例えばマイクロコンピューターを用いた電気回路で構成される。
【００８５】
上記構成において、湿度測定手段１９で有機溶剤ガスの湿度を測定し、その湿度に応じて除湿手段１８を制御することにより、例えば有機溶剤ガスが低湿の場合は除湿手段の除湿能力を低下し低消費エネルギーで動作させ、高湿の場合は、除湿能力を上げて運転することが可能となり、常に、定常の運転条件で除湿手段１８を運転する場合に比べ、低消費エネルギー化できるとともに、有機溶剤ガスの湿度が変動した場合においても安定したガスを液化手段２に供給することが可能となる。
【００８６】
（実施の形態１２）
図１２は、本発明のガス回収装置の除湿部分の構成を示すブロック図である。なお、本発明実施の形態１〜１１と同一の部分には同一番号を付して説明は省略する。
【００８７】
図において、有機溶剤ガスは湿度測定手段１９を経て除湿手段１８に導入される。除湿手段１８は、除湿用圧縮手段２１と除湿用冷却手段２２と水回収手段２３で構成され、導入された有機溶剤ガスは、除湿用圧縮手段２１で加圧され除湿用冷却手段２２に導入される。除湿用冷却手段２２では、導入された有機溶剤ガスを冷却し、有機溶剤ガスに含まれる水分を凝集し、液化手段に供給する。除湿用冷却手段２２で凝集した水分は、分離され水回収手段２３に貯蔵される。また、湿度測定手段１９で測定した湿度は、除湿演算手段２６に送られ、除湿演算手段２６では除湿運転調整手段２０に除湿用圧縮手段２１と除湿用冷却手段２２の加圧条件と冷却温度を除湿運転調整手段２０に送る。除湿運転調整手段２０は、圧力調整手段２４と冷却温度調整手段２５で構成され、それぞれ、除湿演算手段２６の信号を受け、除湿用圧縮手段２１と除湿用冷却手段２２を制御する。ここで、除湿用圧縮手段２１は、コンプレッサーなどの圧縮機を用いることができる。また、除湿用冷却手段２２は、冷凍サイクルやペルチェ素子を用いることができる。また、除湿演算手段２６と除湿運転調整手段２０および圧力調整手段２４と冷却温度調整手段２５は、マイクロコンピュータを使用した電気回路で構成することができる。
【００８８】
上記構成において、有機溶剤ガス中の水分の除去、すなわち除湿を除湿用圧縮手段２１による加圧と除湿用冷却手段２２による冷却で効率的に水分を除去することが可能となる。また、湿度測定手段１９で測定した有機溶剤ガスの湿度をもとに除湿演算手段２６で最適な圧力と冷却温度を演算し、圧力調整手段２４と冷却温度調整手段２５により、除湿手段１８を制御することにより消費エネルギーを低減することが可能となる。また、入口ガス濃度測定手段で測定した有機溶剤ガス濃度を同時に演算し、有機溶剤を液化することなく水分のみを凝集し除去することも可能である。
【産業上の利用可能性】
【００８９】
印刷や塗装、接着、化学製品製造、工業用洗浄などの揮発性有機溶剤を排出する施設に取り付け、排出ガス処理装置として有用である。
【図面の簡単な説明】
【００９０】
【図１】本発明の実施の形態１の構成を示すブロック図
【図２】本発明の実施の形態２の構成を示すブロック図
【図３】本発明の実施の形態３の構成を示すブロック図
【図４】本発明の実施の形態４の構成を示すブロック図
【図５】本発明の実施の形態５の構成を示すブロック図
【図６】本発明の実施の形態６の構成を示すブロック図
【図７】本発明の実施の形態７の構成を示すブロック図
【図８】本発明の実施の形態８の構成を示すブロック図
【図９】本発明の実施の形態９の構成を示すブロック図
【図１０】本発明の実施の形態１０の構成を示すブロック図
【図１１】本発明の実施の形態１１の構成を示すブロック図
【図１２】本発明の実施の形態１２の除湿部分の構成を示すブロック図
【図１３】従来のガス回収装置の構成を示すブロック図
【符号の説明】
【００９１】
１    吸引手段
２    液化手段
３    ガス濃度測定手段
４    液化条件調整手段
５    冷却温度調整手段
６    入口ガス濃度測定手段
７    ガス冷却手段
８    液回収手段
９    加圧手段
１０    圧力調整手段
１１    演算手段
１２    回収率設定手段
１３    排出ガス濃度設定手段
１４    消費エネルギー演算手段
１５    排出ガス濃度測定手段
１６    メンテナンス情報出力手段
１７    濃縮手段
１８    除湿手段
１９    湿度測定手段
２０    除湿運転調整手段
２１    除湿用圧縮手段
２２    除湿用冷却手段
２３    水回収手段
２４    圧力調整手段
２５    冷却温度調整手段
２６    除湿演算手段
【図１】
2006281045.tif 000003
【図２】
2006281045.tif 000004
【図３】
2006281045.tif 000005
【図４】
2006281045.tif 000006
【図５】
2006281045.tif 000007
【図６】
2006281045.tif 000008
【図７】
2006281045.tif 000009
【図８】
2006281045.tif 000010
【図９】
2006281045.tif 000011
【図１０】
2006281045.tif 000012
【図１１】
2006281045.tif 000013
【図１２】
2006281045.tif 000014
【図１３】
2006281045.tif 000015